(57)【要約】【課題】本発明は消費電力をより効率的に削減する画像読取装置を提供する。【解決手段】画像読取装置１は、装置外の自然光または照明光が入射されて当該入射光を光電変換する受光素子２１とこの受光素子２１で変換された電気を蓄える蓄電素子を有する蓄電装置２０が電源コード２２で電源部に接続されており、電源部で、蓄電装置２０からの電源を動作電源の一部として利用する。したがって、自然界に無限にある自然光や蛍光灯等の照明光を電気に変換して動作電源として利用することができ、商用電源の消費電力を削減することができる。【選択図】　　　　　図１
2004069895.tif 000002
【特許請求の範囲】
【請求項１】
商用電源を電源部で電源調整した電源を動作電源として動作し、本体筐体内に配設された光源からの光を原稿に照射して、その反射光を受光手段で受光して原稿の画像を読み取る画像読取装置において、当該画像読取装置外の自然光または照明光が入射されて当該入射光を光電変換する光電変換素子と当該光電変換素子で変換された電気を蓄える蓄電素子を有する蓄電部が前記電源部に接続され、当該電源部が、前記蓄電部からの電源を前記動作電源の一部として利用することを特徴とする画像読取装置。
【請求項２】
商用電源を電源部で電源調整した電源を動作電源として動作し、本体筐体内に配設された光源からの光を原稿に照射して、その反射光を受光手段で受光して原稿の画像を読み取る画像読取装置において、入射光を光電変換する光電変換素子と当該光電変換素子で変換された電気を蓄える蓄電素子を有する蓄電部が前記電源部に接続され、少なくとも当該光電変換素子が前記本体筐体内の前記光源からの光を受光する位置に配設され、当該電源部が、前記蓄電部からの電源を前記動作電源の一部として利用することを特徴とする画像読取装置。
【請求項３】
商用電源を電源部で電源調整した電源を動作電源として動作し、本体筐体内に配設された光源からの光を原稿に照射して、その反射光を受光手段で受光して原稿の画像を読み取る画像読取装置において、当該画像読取装置外の自然光または照明光が入射されて当該入射光を光電変換する光電変換素子と当該光電変換素子で変換された電気を蓄える蓄電素子を有する第１蓄電部が前記電源部に接続されているとともに、入射光を光電変換する光電変換素子と当該光電変換素子で変換された電気を蓄える蓄電素子を有し、少なくとも当該光電変換素子が前記本体筐体内の前記光源からの光を受光する位置に配設されている第２蓄電部が前記電源部に接続され、当該電源部が、前記第１蓄電部及び第２蓄電部からの電源を前記動作電源の一部として利用することを特徴とする画像読取装置。
【請求項４】
前記画像読取装置は、所定の待機状態時に消費電力を削減する省電力モードを備え、前記電源部は、前記省電力モード時にのみ、前記蓄電部または前記第１蓄電部と第２蓄電部からの電力を前記動作電源として利用することを特徴とする請求項１から請求項３のいずれかに記載の画像読取装置。
【請求項５】
前記画像読取装置は、前記蓄電部の前記蓄電素子の蓄電量を監視する蓄電量監視手段を備えるとともに、所定の待機状態時に消費電力を削減する省電力モードを備え、前記電源部は、前記省電力モードであって、前記蓄電量監視手段が前記蓄電素子が所定の規定電力量以上蓄電していることを検出しているときにのみ、前記蓄電部または前記第１蓄電部と第２蓄電部からの電力を前記動作電源として利用することを特徴とする請求項１から請求項３のいずれかに記載の画像読取装置。
【発明の詳細な説明】
【０００１】
【発明の属する技術分野】
本発明は、画像読取装置に関し、詳細には、消費電力をより効率的に削減する画像読取装置に関する。
【０００２】
【従来の技術】
近時、電子機器において省エネルギ化が叫ばれており、スキャナや複写機等の画像読取装置においても、省エネルギ化が重要な課題となっている。
【０００３】
そこで、従来、複写機、ファクシミリ装置及びスキャナ等の画像読取装置においては、所定時間利用されない待機時に、主要各部への電力の供給を停止したり、供給電圧を低下させて消費電力の削減を行っている。
【０００４】
【発明が解決しようとする課題】
しかしながら、このような従来の画像読取装置にあっては、待機時に、主要各部への電力の供給を停止したり、供給電圧を低下させて消費電力の削減を行っているのみであったため、消費電力をより一層削減する上で、改良の必要があった。
【０００５】
そこで、請求項１記載の発明は、商用電源を電源部で電源調整した電源を動作電源として動作し、本体筐体内に配設された光源からの光を原稿に照射して、その反射光を受光手段で受光して原稿の画像を読み取る際に、装置外の自然光または照明光が入射されて当該入射光を光電変換する光電変換素子と当該光電変換素子で変換された電気を蓄える蓄電素子を有する蓄電部を電源部に接続し、当該電源部で、蓄電部からの電源を動作電源の一部として利用することにより、自然界に無限にある自然光や蛍光灯等の照明光を電気に変換して動作電源として利用し、商用電源の消費電力を削減する画像読取装置を提供することを目的としている。
【０００６】
請求項２記載の発明は、商用電源を電源部で電源調整した電源を動作電源として動作し、本体筐体内に配設された光源からの光を原稿に照射して、その反射光を受光手段で受光して原稿の画像を読み取るに際して、入射光を光電変換する光電変換素子と当該光電変換素子で変換された電気を蓄える蓄電素子を有する蓄電部を電源部に接続するとともに、少なくとも当該光電変換素子を本体筐体内の光源からの光を受光する位置に配設し、当該電源部で、蓄電部からの電源を動作電源の一部として利用することにより、光源から出射された光のうち原稿の画像の読み取りに寄与しないで他の場所に反射したり漏れたりする光を電気に変換して動作電源として利用し、商用電源の消費電力を削減する画像読取装置を提供することを目的としている。
【０００７】
請求項３記載の発明は、商用電源を電源部で電源調整した電源を動作電源として動作し、本体筐体内に配設された光源からの光を原稿に照射して、その反射光を受光手段で受光して原稿の画像を読み取るに際して、装置外の自然光または照明光が入射されて当該入射光を光電変換する光電変換素子と当該光電変換素子で変換された電気を蓄える蓄電素子を有する第１蓄電部を電源部に接続するとともに、入射光を光電変換する光電変換素子と当該光電変換素子で変換された電気を蓄える蓄電素子を有し、少なくとも当該光電変換素子が本体筐体内の光源からの光を受光する位置に配設されている第２蓄電部を電源部に接続し、当該電源部で、第１蓄電部及び第２蓄電部からの電源を動作電源の一部として利用することにより、自然光や照明光と光源の反射光や漏れ光を電気に変換して動作電源として利用し、商用電源の消費電力をより一層削減する画像読取装置を提供することを目的としている。
【０００８】
請求項４記載の発明は、所定の待機状態時に消費電力を削減する省電力モード時にのみ、蓄電部または第１蓄電部と第２蓄電部からの電力を動作電源として利用することにより、蓄電部または第１蓄電部と第２蓄電部の読取動作等の稼働中での電力不足の発生を未然に防止するとともに、省電力モード時の商用電源の使用を大幅に削減し、商用電源の消費電力を削減しつつ、利用性を向上させることのできる画像読取装置を提供することを目的としている。
【０００９】
請求項５記載の発明は、所定の待機状態時に消費電力を削減する省電力モードであって、蓄電部の蓄電素子の蓄電量を監視する蓄電量監視手段が所定の規定電力量以上蓄電素子が蓄電していることを検出しているときにのみ、蓄電部または第１蓄電部と第２蓄電部からの電力を動作電源として利用することにより、蓄電部または第１蓄電部と第２蓄電部の読取動作等の稼働中での電力不足の発生をより一層確実に防止するとともに、省電力モード時の商用電源の使用を大幅に削減しつつ省電力モード時であっても蓄電量不足による障害を未然に防止し、商用電源の消費電力を削減しつつ、利用性を向上させることのできる画像読取装置を提供することを目的としている。
【００１０】
【課題を解決するための手段】
請求項１記載の発明の画像読取装置は、商用電源を電源部で電源調整した電源を動作電源として動作し、本体筐体内に配設された光源からの光を原稿に照射して、その反射光を受光手段で受光して原稿の画像を読み取る画像読取装置において、当該画像読取装置外の自然光または照明光が入射されて当該入射光を光電変換する光電変換素子と当該光電変換素子で変換された電気を蓄える蓄電素子を有する蓄電部が前記電源部に接続され、当該電源部が、前記蓄電部からの電源を前記動作電源の一部として利用することにより、上記目的を達成している。
【００１１】
上記構成によれば、商用電源を電源部で電源調整した電源を動作電源として動作し、本体筐体内に配設された光源からの光を原稿に照射して、その反射光を受光手段で受光して原稿の画像を読み取る際に、装置外の自然光または照明光が入射されて当該入射光を光電変換する光電変換素子と当該光電変換素子で変換された電気を蓄える蓄電素子を有する蓄電部を電源部に接続し、当該電源部で、蓄電部からの電源を動作電源の一部として利用するので、自然界に無限にある自然光や蛍光灯等の照明光を電気に変換して動作電源として利用することができ、商用電源の消費電力を削減することができる。
【００１２】
請求項２記載の発明の画像読取装置は、商用電源を電源部で電源調整した電源を動作電源として動作し、本体筐体内に配設された光源からの光を原稿に照射して、その反射光を受光手段で受光して原稿の画像を読み取る画像読取装置において、入射光を光電変換する光電変換素子と当該光電変換素子で変換された電気を蓄える蓄電素子を有する蓄電部が前記電源部に接続され、少なくとも当該光電変換素子が前記本体筐体内の前記光源からの光を受光する位置に配設され、当該電源部が、前記蓄電部からの電源を前記動作電源の一部として利用することにより、上記目的を達成している。
【００１３】
上記構成によれば、商用電源を電源部で電源調整した電源を動作電源として動作し、本体筐体内に配設された光源からの光を原稿に照射して、その反射光を受光手段で受光して原稿の画像を読み取るに際して、入射光を光電変換する光電変換素子と当該光電変換素子で変換された電気を蓄える蓄電素子を有する蓄電部を電源部に接続するとともに、少なくとも当該光電変換素子を本体筐体内の光源からの光を受光する位置に配設し、当該電源部で、蓄電部からの電源を動作電源の一部として利用するので、光源から出射された光のうち原稿の画像の読み取りに寄与しないで他の場所に反射したり漏れたりする光を電気に変換して動作電源として利用することができ、商用電源の消費電力を削減することができる。
【００１４】
請求項３記載の発明の画像読取装置は、商用電源を電源部で電源調整した電源を動作電源として動作し、本体筐体内に配設された光源からの光を原稿に照射して、その反射光を受光手段で受光して原稿の画像を読み取る画像読取装置において、当該画像読取装置外の自然光または照明光が入射されて当該入射光を光電変換する光電変換素子と当該光電変換素子で変換された電気を蓄える蓄電素子を有する第１蓄電部が前記電源部に接続されているとともに、入射光を光電変換する光電変換素子と当該光電変換素子で変換された電気を蓄える蓄電素子を有し、少なくとも当該光電変換素子が前記本体筐体内の前記光源からの光を受光する位置に配設されている第２蓄電部が前記電源部に接続され、当該電源部が、前記第１蓄電部及び第２蓄電部からの電源を前記動作電源の一部として利用することにより、上記目的を達成している。
【００１５】
上記構成によれば、商用電源を電源部で電源調整した電源を動作電源として動作し、本体筐体内に配設された光源からの光を原稿に照射して、その反射光を受光手段で受光して原稿の画像を読み取るに際して、装置外の自然光または照明光が入射されて当該入射光を光電変換する光電変換素子と当該光電変換素子で変換された電気を蓄える蓄電素子を有する第１蓄電部を電源部に接続するとともに、入射光を光電変換する光電変換素子と当該光電変換素子で変換された電気を蓄える蓄電素子を有し、少なくとも当該光電変換素子が本体筐体内の光源からの光を受光する位置に配設されている第２蓄電部を電源部に接続し、当該電源部で、第１蓄電部及び第２蓄電部からの電源を動作電源の一部として利用するので、自然光や照明光と光源の反射光や漏れ光を電気に変換して動作電源として利用することができ、商用電源の消費電力をより一層削減することができる。
【００１６】
上記各実施の形態において、例えば、請求項４に記載するように、前記画像読取装置は、所定の待機状態時に消費電力を削減する省電力モードを備え、前記電源部は、前記省電力モード時にのみ、前記蓄電部または前記第１蓄電部と第２蓄電部からの電力を前記動作電源として利用するものであってもよい。
【００１７】
上記構成によれば、所定の待機状態時に消費電力を削減する省電力モード時にのみ、蓄電部または第１蓄電部と第２蓄電部からの電力を動作電源として利用するので、蓄電部または第１蓄電部と第２蓄電部の読取動作等の稼働中での電力不足の発生を未然に防止することができるとともに、省電力モード時の商用電源の使用を大幅に削減することができ、商用電源の消費電力を削減しつつ、利用性を向上させることができる。
【００１８】
また、例えば、請求項５に記載するように、前記画像読取装置は、前記蓄電部の前記蓄電素子の蓄電量を監視する蓄電量監視手段を備えるとともに、所定の待機状態時に消費電力を削減する省電力モードを備え、前記電源部は、前記省電力モードであって、前記蓄電量監視手段が前記蓄電素子が所定の規定電力量以上蓄電していることを検出しているときにのみ、前記蓄電部または前記第１蓄電部と第２蓄電部からの電力を前記動作電源として利用するものであってもよい。
【００１９】
上記構成によれば、所定の待機状態時に消費電力を削減する省電力モードであって、蓄電部の蓄電素子の蓄電量を監視する蓄電量監視手段が所定の規定電力量以上蓄電素子が蓄電していることを検出しているときにのみ、蓄電部または第１蓄電部と第２蓄電部からの電力を動作電源として利用するので、蓄電部または第１蓄電部と第２蓄電部の読取動作等の稼働中での電力不足の発生をより一層確実に防止することができるとともに、省電力モード時の商用電源の使用を大幅に削減しつつ省電力モード時であっても蓄電量不足による障害を未然に防止することができ、商用電源の消費電力を削減しつつ、利用性を向上させることができる。
【００２０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２１】
図１は、本発明の画像読取装置の第１の実施の形態を適用した画像読取装置１の概略斜視図であり、本実施の形態は、請求項１に対応するものである。
【００２２】
図１において、画像読取装置１は、複写機、ファクシミリ装置、スキャナ等であり、本体筐体２の上部に、原稿の載置される図示しないコンタクトガラスが配設されていて、当該コンタクトガラス上に複数枚の原稿を１枚ずつ分離して送り出すＡＤＦ（Ａｕｔｏ　Ｄｏｃｕｍｅｎｔ　Ｆｉｅｄｅｒ）３が配設されている。
【００２３】
本体筐体２の下部には、画像を記録する複数枚の用紙を収納する給紙部４が配設されており、本体筐体２内には、少なくともコンタクトガラス上の原稿の画像を読み取る画像読取部、画像読取部の読み取った画像を用紙に記録出力する画像形成部、画像形成部に給紙部から１枚ずつ用紙を搬送する用紙搬送部、画像読取装置１の動作を制御する制御部及び上記各部に電源を供給する電源部等を備えている。
【００２４】
画像読取装置１は、その先端に電源プラグ５の取り付けられた電源コード６が接続されており、電源コード６は、上記電源部に接続されている。この電源プラグ５は、商用電源のコンセント１０に挿入されて、画像読取装置１に商用電源を供給する。
【００２５】
また、画像読取装置１には、蓄電装置（蓄電部）２０が接続されており、蓄電装置２０は、照射光を電気に変換する光電素子（光電変換素子）２１と、光電素子２１の変換した電気を蓄電する蓄電素子（図示略）と、を備えている。
【００２６】
蓄電装置２０の蓄電素子は、画像読取装置１の電源部に電源コード２２で接続されており、電源部では、上記電源コード６を通して供給される商用電源と蓄電装置２０から供給される蓄電電源が並列接続されている。
【００２７】
画像読取装置１は、本体筐体２内の各部に供給する電源を、上記電源コード６を通して供給される商用電源と蓄電装置２０から供給される蓄電電源の配分を調整する電力管理部を備えている。
【００２８】
次に、本実施の形態の作用を説明する。本実施の形態の画像読取装置１は、電源コード６を通して商用電源が供給されるとともに、蓄電装置２０が接続され、蓄電装置２０から蓄電電源が供給される。
【００２９】
そして、この蓄電装置２０は、例えば、太陽光の当たる窓際や室内の照明装置からの照明光の当たる場所に設置され、光電素子２１が照射光を光電変換して蓄電素子に蓄電する。
【００３０】
この蓄電素子は、画像読取装置１の電源部に接続され、電源部では、上記電源コード６を通して供給される商用電源と蓄電装置２０から供給される蓄電電源が並列接続されているとともに、画像読取装置１は、電源コード６を通して供給される商用電源と蓄電装置２０から供給される蓄電電源の配分を調整する電力管理部を備えている。
【００３１】
そして、電力管理部は、蓄電装置２０からの蓄電電源で不足する電力を全て商用電源である主電源で補うように電力管理動作を行う。
【００３２】
したがって、主電力である商用電源の消費を通常の消費電力に対して蓄電装置２０を利用している分だけ削減することができる。
【００３３】
また、電力管理部は、蓄電装置２０と主電源である商用電源の両方をあわせた電力が常に一定になるように、蓄電装置２０から供給可能な電力量に応じて、主電源である商用電源の電力量を調整する。したがって、画像読取装置１は、常に、安定した動作を行う。
【００３４】
さらに、蓄電装置２０は、電源コード２２で画像読取装置１の電源部に接続されているため、必ずしも画像読取装置１と同一の場所に設置する必要はなく、蓄電装置２０は、窓際に設置し、画像読取装置１は、居室中央に設置する等の配置の自由度を有している。
【００３５】
このように、本実施の形態の画像読取装置１は、本体筐体２外の自然光または照明光が入射されて当該入射光を光電変換する光電変換素子である光電素子２１と当該光電素子２１で変換された電気を蓄える蓄電素子を有する蓄電装置２０を電源部に接続し、当該電源部で、蓄電装置２０からの電源を動作電源の一部として利用している。
【００３６】
したがって、自然界に無限にある自然光や蛍光灯等の照明光を電気に変換して動作電源として利用することができ、商用電源の消費電力を削減することができる。
【００３７】
図２は、本実施の形態の画像読取装置の第２の実施の形態を適用した画像読取装置３０の要部正面図であり、本実施の形態は、請求項２に対応するものである。
【００３８】
図２において、画像読取装置３０は、本体筐体３１の上部に、図示しないがコンタクトガラスが配設されており、画像読取装置３０の上部には、コンタクトガラス上に複数枚の原稿を１枚ずつ分離して送り出すＡＤＦ３２が配設されている。
【００３９】
当該コンタクトガラスの下方であって本体筐体３１内に、矢印で示すように、副走査方向に移動するキャリッジ３３が配設されており、キャリッジ３３は、コンタクトガラス上の原稿に光を照射する光源３４、原稿で反射された反射光を順次反射して受光素子（受光手段）３５に入射させるミラー３６及びミラー３６で反射された反射光を受光素子３５に集光させるレンズ３７等を搭載している。
【００４０】
このキャリッジ３３の側面及び底面の内面には、蓄電装置（蓄電部）４０の光電素子（光電変換素子）４１がその受光面を内側にした状態で配設されており、光電素子４１は、光源３４から出射されて原稿の読み取りに寄与しない光を受光して、電気に変換する。
【００４１】
蓄電装置４０は、光電素子４１の他に、蓄電素子（図示略）を有しており、蓄電素子は、光電素子４１に接続されていて、光電素子４１の変換した電気を蓄電する。
【００４２】
画像読取装置３０は、画像読取装置３０の動作を制御する制御部及び画像読取装置３０の各部に電源を供給する電源部等を備えている。
【００４３】
次に、本実施の形態の作用を説明する。本実施の形態の画像読取装置３０は、図示しないが、電源コードを通して商用電源が供給されるとともに、蓄電装置４０がキャリッジ３３の側面及び底面の内面に配設されており、蓄電装置４０から蓄電電源が供給される。
【００４４】
そして、画像読取装置３０は、原稿の読取時に、キャリッジ３３の光源３４を点灯させて、光源３４からの反射光をミラー３５及びレンズ３７を介して受光素子３６に入射させて、原稿の主走査方向に画像の読み取りを行いつつ、キャリッジ３３を矢印で示す副走査方向に移動させて、副走査して、原稿の画像を読み取る。
【００４５】
この原稿の読取動作では、光源３４から出射された光はその全てが原稿で反射されて受光素子３６に入射されるのではなく、原稿の読取に寄与しない光が多々存在し、この原稿の読取に寄与しない光が、キャリッジ３３の側面及び底面の内面に配設された蓄電装置４０の光電素子４１に入射される。
【００４６】
光電素子４１は、入射された光を光電変換して、蓄電装置４０の蓄電素子に蓄電する。蓄電装置４０の蓄電素子は、画像読取装置３０の電源部に接続されており、電源部では、商用電源と蓄電装置４０から供給される蓄電電源が並列接続されている。
【００４７】
画像読取装置３０は、本体筐体３１内の各部に供給する電源を、上記商用電源と蓄電装置４０から供給される蓄電電源の配分を調整する電力管理部を備えている。
【００４８】
そして、電力管理部は、蓄電装置４０からの蓄電電源で不足する電力を全て商用電源である主電源で補うように電力管理動作を行う。
【００４９】
したがって、主電力である商用電源の消費を通常の消費電力に対して蓄電装置４０を利用している分だけ削減することができる。
【００５０】
また、電力管理部は、蓄電装置４０と主電源である商用電源の両方をあわせた電力が常に一定になるように、蓄電装置４０から供給可能な電力量に応じて、主電源である商用電源の電力量を調整する。したがって、画像読取装置３０は、常に、安定した動作を行う。
【００５１】
このように、本実施の形態の画像読取装置３０は、商用電源を電源部で電源調整した電源を動作電源として動作し、本体筐体３１内に配設された光源３４からの光を原稿に照射して、その反射光を受光素子３６で受光して原稿の画像を読み取るに際して、入射光を光電変換する光電変換素子である光電素子４１と当該光電素子４１で変換された電気を蓄える蓄電素子を有する蓄電装置４０を電源部に接続するとともに、光電素子４１を本体筐体３１内の光源３４からの光を受光する位置であるキャリッジ３０の側面及び底面の内面に配設し、当該電源部で、蓄電装置４０からの電源を動作電源の一部として利用している。
【００５２】
したがって、光源３４から出射された光のうち原稿の画像の読み取りに寄与しないで他の場所に反射したり漏れたりする光を電気に変換して動作電源として利用することができ、商用電源の消費電力を削減することができる。
【００５３】
また、本実施の形態の画像読取装置３０は、蓄電装置４０の光電素子４１がキャリッジ３３の側面及び底面の内面に設けられているため、画像読取装置３０の読み取り動作を行っていない未使用時に、ＡＤＦ３２を空けてコンタクトガラスを開放すると、蓄電装置４０の光電素子４１に外部光が入射し、蓄電素子を充電することができる。したがって、より一層省電力化を図ることができる。
【００５４】
図３は、本発明の本実施の形態の画像読取装置の第３の実施の形態を適用した画像読取装置５０の要部正面図であり、本実施の形態は、請求項２に対応するものである。
【００５５】
なお、本実施の形態は、上記第２の実施の形態の画像読取装置３０と同様の画像読取装置に適用したものであり、本実施の形態の説明においては、上記第２の実施の形態の画像読取装置３０と同様の構成部分には、同一の符号を付して、その詳細な説明を省略する。
【００５６】
図３において、画像読取装置５０は、本体筐体３１の上部に、図示しないがコンタクトガラスが配設されており、画像読取装置５０の上部には、コンタクトガラス上に複数枚の原稿を１枚ずつ分離して送り出すＡＤＦ３２が配設されている。
【００５７】
当該コンタクトガラスの下方であって本体筐体３１内に、矢印で示すように、副走査方向に移動するキャリッジ３３が配設されており、キャリッジ３３は、コンタクトガラス上の原稿に光を照射する光源３４、原稿で反射された反射光を順次反射して受光素子３５に入射させるミラー３６及びミラー３６で反射された反射光を受光素子３５に集光させるレンズ３７等を搭載している。
【００５８】
画像読取装置５０は、本体筐体３１の側面及び底面の内面には、蓄電装置（蓄電部）６０の光電素子（光電変換素子）６１がその受光面を内側にした状態で配設されており、光電素子６１は、キャリッジ３３の光源３４から出射されてキャリッジ３３から漏れた光を受光して、電気に変換するとともに、本体筐体３１の上部コンタクトガラスを通して本体筐体３１内に入り込んでくる光を電気に変換する。
【００５９】
蓄電装置６０は、光電素子６１の他に、蓄電素子（図示略）を有しており、蓄電素子は、光電素子６１に接続されていて、光電素子６１の変換した電気を蓄電する。
【００６０】
画像読取装置５０は、画像読取装置５０の動作を制御する制御部及び画像読取装置５０の各部に電源を供給する電源部等を備えている。
【００６１】
次に、本実施の形態の作用を説明する。本実施の形態の画像読取装置５０は、図示しないが、電源コードを通して商用電源が供給されるとともに、蓄電装置５０が本体筐体３１の側面及び底面の内面に配設されており、蓄電装置６０から蓄電電源が供給される。
【００６２】
そして、画像読取装置５０は、原稿の読取時に、キャリッジ３３の光源３４を点灯させて、光源３４からの反射光をミラー３５及びレンズ３７を介して受光素子３６に入射させて、原稿の主走査方向に画像の読み取りを行いつつ、キャリッジ３３を矢印で示す副走査方向に移動させて、副走査して、原稿の画像を読み取る。
【００６３】
この原稿の読取動作では、光源３４から出射された光がキャリッジ３３からキャリッジ３３の外部に多く漏れるが、このキャリッジ３３の外部に漏れた光が、本体筐体３１の側面及び底面の内面に配設された蓄電装置６０の光電素子６１に入射される。
【００６４】
光電素子６１は、入射された光を光電変換して、蓄電装置６０の蓄電素子に蓄電する。蓄電装置６０の蓄電素子は、画像読取装置５０の電源部に接続されており、電源部では、商用電源と蓄電装置６０から供給される蓄電電源が並列接続されている。
【００６５】
画像読取装置５０は、本体筐体３１内の各部に供給する電源を、上記商用電源と蓄電装置６０から供給される蓄電電源の配分を調整する電力管理部を備えている。
【００６６】
そして、電力管理部は、蓄電装置６０からの蓄電電源で不足する電力を全て商用電源である主電源で補うように電力管理動作を行う。
【００６７】
したがって、主電力である商用電源の消費を通常の消費電力に対して蓄電装置６０を利用している分だけ削減することができる。
【００６８】
また、電力管理部は、蓄電装置６０と主電源である商用電源の両方をあわせた電力が常に一定になるように、蓄電装置６０から供給可能な電力量に応じて、主電源である商用電源の電力量を調整する。したがって、画像読取装置５０は、常に、安定した動作を行う。
【００６９】
このように、本実施の形態の画像読取装置５０は、商用電源を電源部で電源調整した電源を動作電源として動作し、本体筐体３１内に配設された光源３４からの光を原稿に照射して、その反射光を受光素子３６で受光して原稿の画像を読み取るに際して、入射光を光電変換する光電変換素子である光電素子６１と当該光電素子６１で変換された電気を蓄える蓄電素子を有する蓄電装置６０を電源部に接続するとともに、光電素子６１を本体筐体３１内の光源３４からの光を受光する位置である本体筐体３１の側面及び底面の内面に配設し、当該電源部で、蓄電装置６０からの電源を動作電源の一部として利用している。
【００７０】
したがって、光源３４から出射された光のうち原稿の画像の読み取りに寄与しないで他の場所に反射したり漏れたりする光を電気に変換して動作電源として利用することができ、商用電源の消費電力を削減することができる。
【００７１】
また、本実施の形態の画像読取装置５０は、蓄電装置６０の光電素子６１が本体筐体３１の側面及び底面の内面に設けられているため、画像読取装置５０の読み取り動作を行っていない未使用時に、ＡＤＦ３２を空けてコンタクトガラスを開放すると、蓄電装置６０の光電素子６１に外部光が入射し、蓄電素子を充電することができる。したがって、より一層省電力化を図ることができる。
【００７２】
図４は、本発明の画像読取装置の第４の実施の形態を適用した画像読取装置による電源管理処理を示すフローチャートであり、本実施の形態は、請求項４に対応するものである。
【００７３】
なお、本実施の形態は、上記第１の実施の形態の画像読取装置１に適用したものであり、本実施の形態の説明においては、必要に応じて、上記第１の実施の形態の説明で用いた符号をそのまま用いて説明する。
【００７４】
本実施の形態の画像読取装置１は、画像読取装置１が所定時間使用されないで、省電力のモード（省エネモード）に入っているときにのみ、主電源である商用電源と蓄電装置２０から並列に常時電力供給を行う。
【００７５】
すなわち、図４に示すように、蓄電装置２０の光電素子２１には、自然光または室内の照明光が照射されて、光電素子２１が光電変換した電気が蓄電素子２３に蓄積される。
【００７６】
そして、画像読取装置１の電力管理部は、省電力モードかどうかチェックし（ステップＳ１０１）、省電力モードでないときには、光電素子２１による光電変換と蓄電素子２３への蓄電を継続させる。
【００７７】
ステップＳ１０１で、省電力モードであると、電力管理部が、省エネモード（省電力モード）であるかチェックして（ステップＳ１０２）、省エネモードであると、主電源である商用電源と蓄電装置２０から並列に常時電力供給を行い、省エネモードでないときには、主電源である商用電源による電力供給を行う電力供給制御処理を行って、画像読取装置１に当該モードに応じた動作を行わせる（ステップＳ１０３）。
【００７８】
このように、本実施の形態の画像読取装置１は、所定の待機状態時に消費電力を削減する省電力モード時にのみ、蓄電装置２０からの電力を動作電源として利用している。
【００７９】
したがって、蓄電装置２０の読取動作等の稼働中での電力不足の発生を未然に防止することができるとともに、省電力モード時の商用電源の使用を大幅に削減することができ、商用電源の消費電力を削減しつつ、利用性を向上させることができる。
【００８０】
なお、上記説明では、上記第１の実施の形態の画像読取装置１に適用した場合について説明したが、上記第２の実施の形態の画像読取装置３０及び第３の実施の形態の画像読取装置５０についても同様に適用することができる。
【００８１】
図５は、本発明の画像読取装置の第５の実施の形態を適用した画像読取装置による電源管理処理を示すフローチャートであり、本実施の形態は、請求項５に対応するものである。
【００８２】
なお、本実施の形態は、上記第１の実施の形態の画像読取装置１に適用したものであり、本実施の形態の説明においては、必要に応じて、上記第１の実施の形態の説明で用いた符号をそのまま用いて説明する。
【００８３】
本実施の形態の画像読取装置１は、省電力のモード（省エネモード）時に、蓄電装置２０の蓄電素子２３の蓄電量を常時監視して、蓄電素子２３の蓄電量に応じて主電源である商用電源と蓄電装置２０からの電力供給を制御する。
【００８４】
すなわち、図５に示すように、蓄電装置２０の光電素子２１には、自然光または室内の照明光が照射されて、光電素子２１が光電変換した電気が蓄電素子２３に蓄積される。
【００８５】
そして、画像読取装置１の電力管理部は、省電力モードかどうかチェックし（ステップＳ２０１）、省電力モードでないときには、主電源である商用電源から画像読取装置１に電力供給を行い（ステップＳ２０１）、光電素子２１による光電変換と蓄電素子２３への蓄電を継続させる。
【００８６】
ステップＳ２０１で、省電力モードであると、電力管理部が、蓄電装置２０の蓄電素子２３の蓄電量（電力量）をチェックして、予め設定されている基準値より大きいかどうか判別し（ステップＳ２０３）、蓄電素子２３の蓄電量が基準値よりも小さいときには、主電源である商用電源から画像読取装置１に電力供給を行い（ステップＳ２０１）、光電素子２１による光電変換と蓄電素子２３への蓄電を継続させる。
【００８７】
ステップＳ２０３で、蓄電素子２３の蓄電量が基準値より大きいと、電力管理部は、蓄電装置２０の蓄電素子２３から画像読取装置１に電力供給を行わせる（ステップＳ２０４）。
【００８８】
このように、本実施の形態の画像読取装置１は、所定の待機状態時に消費電力を削減する省電力モードであって、蓄電装置２０の蓄電素子の蓄電量を監視して、蓄電素子が所定の規定電力量以上蓄電しているときにのみ、蓄電装置２０からの電力を動作電源として利用している。
【００８９】
したがって、蓄電装置２０の読取動作等の稼働中での電力不足の発生をより一層確実に防止することができるとともに、省電力モード時の商用電源の使用を大幅に削減しつつ省電力モード時であっても蓄電量不足による障害を未然に防止することができ、商用電源の消費電力を削減しつつ、利用性を向上させることができる。
【００９０】
なお、上記説明では、上記第１の実施の形態の画像読取装置１に適用した場合について説明したが、上記第２の実施の形態の画像読取装置３０及び第３の実施の形態の画像読取装置５０についても同様に適用することができる。
【００９１】
また、上記第１の実施の形態から第３の実施の形態は、請求項３のように、それぞれ各実施の形態の画像読取装置１、３０、５０の蓄電装置２０、４０、６０を任意に組み合わせて用いてもよい。例えば、第１の実施の形態の蓄電装置２０と第２の実施の形態の蓄電装置４０、第１の実施の形態の蓄電装置２０と第３の実施の形態の蓄電装置６０、第２の実施の形態の蓄電装置４０と第３の実施の形態の蓄電装置６０、あるいは、第１の実施の形態の蓄電装置２０、第２の実施の形態の蓄電装置４０及び第３の実施の形態の蓄電装置６０の３つの蓄電装置を組み合わせたものを用いてもよい。
【００９２】
このようにすると、自然光や照明光と光源の反射光や漏れ光を電気に変換して動作電源として利用することができ、商用電源の消費電力をより一層削減することができる。
【００９３】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９４】
【発明の効果】
請求項１記載の発明の画像読取装置によれば、商用電源を電源部で電源調整した電源を動作電源として動作し、本体筐体内に配設された光源からの光を原稿に照射して、その反射光を受光手段で受光して原稿の画像を読み取る際に、装置外の自然光または照明光が入射されて当該入射光を光電変換する光電変換素子と当該光電変換素子で変換された電気を蓄える蓄電素子を有する蓄電部を電源部に接続し、当該電源部で、蓄電部からの電源を動作電源の一部として利用するので、自然界に無限にある自然光や蛍光灯等の照明光を電気に変換して動作電源として利用することができ、商用電源の消費電力を削減することができる。
【００９５】
請求項２記載の発明の画像読取装置によれば、商用電源を電源部で電源調整した電源を動作電源として動作し、本体筐体内に配設された光源からの光を原稿に照射して、その反射光を受光手段で受光して原稿の画像を読み取るに際して、入射光を光電変換する光電変換素子と当該光電変換素子で変換された電気を蓄える蓄電素子を有する蓄電部を電源部に接続するとともに、少なくとも当該光電変換素子を本体筐体内の光源からの光を受光する位置に配設し、当該電源部で、蓄電部からの電源を動作電源の一部として利用するので、光源から出射された光のうち原稿の画像の読み取りに寄与しないで他の場所に反射したり漏れたりする光を電気に変換して動作電源として利用することができ、商用電源の消費電力を削減することができる。
【００９６】
請求項３記載の発明の画像読取装置によれば、商用電源を電源部で電源調整した電源を動作電源として動作し、本体筐体内に配設された光源からの光を原稿に照射して、その反射光を受光手段で受光して原稿の画像を読み取るに際して、装置外の自然光または照明光が入射されて当該入射光を光電変換する光電変換素子と当該光電変換素子で変換された電気を蓄える蓄電素子を有する第１蓄電部を電源部に接続するとともに、入射光を光電変換する光電変換素子と当該光電変換素子で変換された電気を蓄える蓄電素子を有し、少なくとも当該光電変換素子が本体筐体内の光源からの光を受光する位置に配設されている第２蓄電部を電源部に接続し、当該電源部で、第１蓄電部及び第２蓄電部からの電源を動作電源の一部として利用するので、自然光や照明光と光源の反射光や漏れ光を電気に変換して動作電源として利用することができ、商用電源の消費電力をより一層削減することができる。
【００９７】
請求項４記載の発明の画像読取装置によれば、所定の待機状態時に消費電力を削減する省電力モード時にのみ、蓄電部または第１蓄電部と第２蓄電部からの電力を動作電源として利用するので、蓄電部または第１蓄電部と第２蓄電部の読取動作等の稼働中での電力不足の発生を未然に防止することができるとともに、省電力モード時の商用電源の使用を大幅に削減することができ、商用電源の消費電力を削減しつつ、利用性を向上させることができる。
【００９８】
請求項５記載の発明の画像読取装置によれば、所定の待機状態時に消費電力を削減する省電力モードであって、蓄電部の蓄電素子の蓄電量を監視する蓄電量監視手段が所定の規定電力量以上蓄電素子が蓄電していることを検出しているときにのみ、蓄電部または第１蓄電部と第２蓄電部からの電力を動作電源として利用するので、蓄電部または第１蓄電部と第２蓄電部の読取動作等の稼働中での電力不足の発生をより一層確実に防止することができるとともに、省電力モード時の商用電源の使用を大幅に削減しつつ省電力モード時であっても蓄電量不足による障害を未然に防止することができ、商用電源の消費電力を削減しつつ、利用性を向上させることができる。
【図面の簡単な説明】
【図１】本発明の画像読取装置の第１の実施の形態を適用した画像読取装置の概略斜視図。
【図２】本発明の画像読取装置の第２の実施の形態を適用した画像読取装置の概略正面図。
【図３】本発明の画像読取装置の第３の実施の形態を適用した画像読取装置の概略正面図。
【図４】本発明の画像読取装置の第４の実施の形態を適用した画像読取装置による電力管理処理を示すフローチャート。
【図５】本発明の画像読取装置の第５の実施の形態を適用した画像読取装置による電力管理処理を示すフローチャート。
【符号の説明】
１　画像読取装置
２　本体筐体
３　ＡＤＦ
４　給紙部
５　電源プラグ
６　電源コード
１０　コンセント
２０　蓄電装置
２１　光電素子
２２　電源コード
２３　蓄電素子
３０　画像読取装置
３１　本体筐体
３２　ＡＤＦ
３３　キャリッジ
３４　光源
３５　受光素子
３６　ミラー
３７　レンズ
４０　蓄電装置
４１　受光素子
５０　画像読取装置
６０　蓄電装置
６１　受光素子
【図１】
2004069895.tif 000003
【図２】
2004069895.tif 000004
【図３】
2004069895.tif 000005
【図４】
2004069895.tif 000006
【図５】
2004069895.tif 000007